(57)【要約】本発明のスチレンボード用カッターは、スチレンボードの上面と面接触する平面を先端部に有する操作片と、この操作片の先端部より山形状に突出するように取付けられた、前記スチレンボードの下面のシートを除く部位をほぼＶ字状にカットする先端下部が傾斜面の刃部に形成された一対のカッター刃とで構成され、未熟練者でも簡単な操作でスチレンボードの下面のシートを残してＶ字状にきれいにカットすることができる。
2008044301.tif 000002
【特許請求の範囲】
【請求項１】
スチレンボードの上面と面接触する平面を先端部に有する操作片と、この操作片の先端部より山形状に突出するように取付けられた、前記スチレンボードの下面のシートを除く部位をほぼＶ字状にカットする先端下部が傾斜面の刃部に形成された一対のカッター刃とからなるスチレンボード用カッター。
【請求項２】
スチレンボードの上面と面接触するベース板、このベース板の先端部より上方へ突出するように一体形成あるいは固定されたカッター刃支持片とからなる操作片と、この操作片のカッター刃支持片に着脱可能に取付けられた前記スチレンボードの下面のシートを除く部位をほぼＶ字状にカットする先端下部が傾斜面の刃部に形成された、前記ベース板より下方へ山形状に突出する一対のカッター刃を備えるカッター刃取付片とからなることを特徴とするスチレンボード用カッター。
【請求項３】
一対のカッター刃は先端部が前後方向に所定寸法位置をずらして設けられていることを特徴とする請求項１あるいは請求項２いずれかに記載のスチレンボード用カッター。
【請求項４】
スチレンボードの上面と面接触するベース板、このベース板の一端部にアングル状の凹部を介して上方へ突出するように形成された立設板とからなる操作片と、この操作片の前記ベース板と前記立設板に先端部がほぼ同一部位に位置するように前記凹部へ突出するように取付けられた、前記スチレンボードの下面のシートと発泡スチロール間のカットおよび、下面のシートを除く部位をカットする一対のカッター刃とからなることを特徴とするスチレンボード用カッター。
【発明の詳細な説明】
【技術分野】
【０００１】
本発明は模型を作成する場合等に使用するスチレンボードをほぼＶ字状や端部をほぼ直角状にカットすることができるスチレンボード用カッターに関する。
【背景技術】
【０００２】
従来、スチレンボードをほぼＶ字状にカットして角柱等を形成する場合、カッターナイフで折り曲げ部となる部位の下部のシートを切断しないようにほぼ４５度の傾斜面に切断した後、反対側を同じようにカットしてほぼ三角形状に手作業でカットしている。【０００３】
このため、作業が大変で、きれいにカットすることができないとともに、熟練者でなければ下部のシートを切断したり、切断面が平坦面にならず、不良品にしてしまうという欠点があった。
【特許文献１】特になし
【発明の開示】
【発明が解決しようとする課題】
【０００４】
本発明は以上のような従来の欠点に鑑み、未熟練者でも簡単な操作でスチレンボードの下面のシートを残してＶ字状にきれいにカットすることができるスチレンボード用カッターを提供することを目的としている。【０００５】
また、本発明は未熟練者でも簡単な操作でスチレンボードの端部の下面のシートを残して上部を除去することができるように、きれいにカットすることができるスチレンボード用カッターを提供することを目的としている。【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明はスチレンボードの上面と面接触する平面を先端部に有する操作片と、この操作片の先端部より山形状に突出するように取付けられた、前記スチレンボードの下面のシートを除く部位をほぼＶ字状にカットする先端下部が傾斜面の刃部に形成された一対のカッター刃とでスチレンボード用カッターを構成している。【０００８】
本発明はスチレンボードの上面と面接触するベース板、このベース板の先端部より上方へ突出するように一体形成あるいは固定されたカッター刃支持片とからなる操作片と、この操作片のカッター刃支持片に着脱可能に取付けられた前記スチレンボードの下面のシートを除く部位をほぼＶ字状にカットする先端下部が傾斜面の刃部に形成された、前記ベース板より下方へ山形状に突出する一対のカッター刃を備えるカッター刃取付片とでスチレンボード用カッターを構成している。【０００９】
本発明はスチレンボードの上面と面接触するベース板、このベース板の一端部にアングル状の凹部を介して上方へ突出するように形成された立設板とからなる操作片と、この操作片の前記ベース板と前記立設板に先端部がほぼ同一部位に位置するように前記凹部へ突出するように取付けられた、前記スチレンボードの下面のシートと発泡スチロール間のカットおよび、下面のシートを除く部位をカットする一対のカッター刃とでスチレンボード用カッターを構成している。
【発明の効果】
【００１０】
以上の説明から明らかなように、本発明にあっては次に列挙する効果が得られる。【００１１】
（１）スチレンボードの上面と面接触する平面を先端部に有する操作片と、この操作片の先端部より山形状に突出するように取付けられた、前記スチレンボードの下面のシートを除く部位をほぼＶ字状にカットする先端下部が傾斜面の刃部に形成された一対のカッター刃とで構成されているので、スチレンボードのＶ字状にカットしたい部分に一対のカッター刃を位置させ、操作片の先端部をスチレンボードの上面に面接触させてスライド移動させることにより、下面のシートを切断することなく、Ｖ字状にカットすることができる。
したがって、熟練者でなくても、誰でもがきれいにＶ字状にカットすることができる。【００１２】
（２）前記（１）によって、操作片の先端部をスチレンボードに面接触させてスライド移動するだけでよいので、誰でもが容易にＶ字状のカットを行なうことができる。【００１３】
（３）前記（１）によって、構造が簡単であるので、安価に製造することができる。【００１４】
（４）請求項２も前記（１）〜（３）と同様な効果が得られる。【００１５】
（５）請求項３も前記（１）〜（３）と同様な効果が得られるとともに、一対のカッター刃の先端部が前後方向に所定寸法位置をずらしているので、スムーズに切断することができるとともに、カッター刃に加わる抵抗を小さくでき、かつきれいに切断することができる。【００１６】
（６）請求項４もスチレンボードの端部を下面のシートを残して、上部を除去することができる。
【図面の簡単な説明】
【００１７】
【図１】本発明を実施するための最良の第１の形態の正面図。
【図２】本発明を実施するための最良の第１の形態の背面図。
【図３】本発明を実施するための最良の第１の形態の平面図。
【図４】本発明を実施するための最良の第１の形態の底面図。
【図５】本発明を実施するための最良の第１の形態の右側面図。
【図６】本発明を実施するための最良の第１の形態の左側面図。
【図７】本発明を実施するための最良の第１の形態の使用状態の側面図。
【図８】本発明を実施するための最良の第１の形態の使用状態の正面図。
【図９】本発明を実施するための第２の形態の正面図。
【図１０】本発明を実施するための第２の形態の背面図。
【図１１】本発明を実施するための第２の形態の右側面図。
【図１２】本発明を実施するための第２の形態の外側部材を開放した状態の説明図。
【図１３】本発明を実施するための第３の形態の正面図。
【図１４】本発明を実施するための第３の形態の平面図。
【図１５】本発明を実施するための第３の形態の右側面図。
【図１６】本発明を実施するための第３の形態のカッター刃取付片の動作説明図。
【図１７】本発明を実施するための第４の形態の正面図。
【図１８】本発明を実施するための第４の形態の平面図。
【図１９】本発明を実施するための第４の形態の右側面図。
【図２０】本発明を実施するための第４の形態のカッター刃取付片の動作説明図。
【図２１】本発明を実施するための第５の形態の正面図。
【図２２】本発明を実施するための第５の形態の平面図。
【図２３】本発明を実施するための第５の形態の右側面図。
【図２４】本発明を実施するための第５の形態の左右のカッター刃取付片の説明図。
【図２５】本発明を実施するための第６の形態の正面図。
【図２６】本発明を実施するための第６の形態の平面図。
【図２７】本発明を実施するための第６の形態の左側面図。
【図２８】本発明を実施するための第６の形態の使用状態の説明図。
【符号の説明】
【００１８】
１、１Ａ、１Ｂ、１Ｃ、１Ｄ、１Ｅ：スチレンボード用カッター、
２：スチレンボード、          ３：平面、
４、４Ａ、４Ｂ：操作片、      ５、５Ａ：カッター刃取付溝、
６：接着剤、                  ７：傾斜面、
８：カッター刃、              ９：作業台、
１０：定規、                  １１：外側部材、
１２：ヒンジ部材、            １３：枢支部、
１４：枢支ピン、              １５：レバー、
１６：操作片本体、            １７：係合部、
１８：着脱固定具、            １９：ベース板、
２０：カッター刃支持片、      ２１：カッター刃取付片、
２２：ガイド片、              ２３：カッター刃取付片本体、
２４：長孔、                  ２５：ボルト、
２６：蝶ナット、              ２７：目盛、
２８：カッター刃取付片、      ２９：ねじ部、
３０：ピン、                  ３１：ガイド溝、
３２：目盛、                  ３３：凹部、
３４：立設板。
【発明を実施するための最良の形態】
【００１９】
以下、図面に示す本発明を実施するための最良の形態により、本発明を詳細に説明する。【００２０】
図１ないし図８に示す本発明を実施するための最良の第１の形態において、１は本発明のスチレンボード用カッターで、このスチレンボード用カッター１はスチレンボード２の上面と面接触する平面３を先端部に有する、ほぼ長方形状で後端部側が薄肉に形成された操作片４と、この操作片４の先端部より山形状に突出するように形成されたカッター刃取付溝５、５内に挿入し、接着剤６の充填で固定された前記スチレンボード２の下面のシート２ａを除く部位をほぼ９０度のＶ字状にカットする先端下部が傾斜面７、７の刃部に形成された一対のカッター刃８、８とで構成され、該一対のカッター刃８、８の先端部は前後方向に所定寸法位置をずらして設けられている。【００２１】
上記構成のスチレンボード用カッター１は図７および図８に示すように、作業台９にスチレンボード２を位置させ、Ｖ字状にカットする部位の中央部に一対のカッター刃８、８の先端部が位置するように、スチレンボード２の外側端部に位置させ、操作片４の先端部をスチレンボード２の上面に面接触させるとともに、操作片４の操作方向を位置決めするために、操作片４の端部に定規１０等を位置させる。
この状態で、定規１０等に沿って操作片４を先端部が面接触状態を保ってスライド移動させることにより、スチレンボード２の下面のシート２ａを切断することなく、表面のシート２ｂおよび発泡スチロール２ｃをＶ字状に切断することができる。
この切断時には一対のカッター刃８、８の先端下部が傾斜面７、７で、かつ先端部が前後方向に位置がずれているためスムーズで、切断部が一対のカッター刃８、８の先端部に引かれることなく、きれいな切断面で切断することができる。
[発明を実施するための異なる形態]【００２２】
次に、図９ないし図２８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。【００２３】
図９ないし図１２に示す本発明を実施するための第２の形態において、前記本発明を実施するための最良の第１の形態と主に異なる点は、操作片４に一対のカッター刃８、８を着脱可能に取付けられるように、カッター刃取付溝５Ａ、５Ａの外側部位の外側部材１１、１１にヒンジ部材１２、１２で開閉可能にするとともに、外側部材１１、１１の枢支部１３、１３に枢支ピン１４、１４で回動可能に取付けられた先端部が順次大径となるレバー１５、１５、このレバー１５、１５と係合される外側部材１１、１１より内側部位の操作片本体１６に形成された凹部状の係合部１７、１７とからなる着脱固定具１８、１８を用いた点で、このように構成したスチレンボード用カッター１Ａにしても、前記本発明を実施するための最良の第１の形態と同様な作用効果が得られるとともに、一対のカッター刃８、８の切れ味が悪くなると交換して使用することができる。
なお、前記着脱固定具１８はボルトを用いて外側部材を操作片本体に着脱可能に固定したり、面ファスナー、ゴムベルト、接着テープを用いたものであってもよい。【００２４】
図１３ないし図１６に示す本発明を実施するための第３の形態において、前記本発明を実施するための最良の第１の形態と主に異なる点は、スチレンボード２の上面と面接触する長方形状のベース板１９、このベース板１９の先端部より後部上方へ突出するように一体形成あるいは固定されたカッター刃支持片２０とからなる操作片４Ａと、この操作片４Ａのカッター刃支持片２０に高さ調整可能に取付けられた一対のカッター刃８、８を備えるカッター刃取付片２１とで構成した点で、このようなスチレンボード用カッター１Ｂにしても、前記本発明を実施するための最良の第１の形態と同様な作用効果が得られるとともに、高さ調整により厚さの異なるスチレンボードでも下面のシート２ａを切断することなくＶ字状にカットすることができる。
なお、前記カッター刃取付片２１は前記カッター刃支持片２０のほぼ中央部に固定された垂直方向のガイド片２２に案内されて上下移動可能な下端部がカットされたほぼ三角形状のカッター刃取付片本体２３と、このカッター刃取付片本体２３のほぼ中央部に形成された垂直方向の長孔２４と、前記ガイド片２２および前記カッター取付片本体２３に螺合固定された前記長孔２４より外方へ突出するボルト２５と、このボルト２５に螺合され前記カッター刃取付片本体２３を所定位置に固定する蝶ナット２６と、前記カッター刃取付片本体２３の両側面に固定された一対のカッター刃８、８と、前記カッター刃支持片２０に形成された目盛２７とで構成されている。【００２５】
図１７ないし図２０に示す本発明を実施するための第４の形態において、前記本発明を実施するための第３の形態と主に異なる点は、カッター刃取付片２１の一端部寄りの部位に一対のカッター刃８、８を固定したカッター刃取付片２１Ａを取付けた点で、このように構成したスチレンボード用カッター１Ｃにしても、前記本発明を実施するための第３の形態と同様な作用効果が得られる。【００２６】
図２１ないし図２４に示す本発明を実施するための第５の形態において、前記本発明を実施するための第３の形態と主に異なる点は、操作片４Ａのカッター支持片２０に一対のカッター刃８、８の先端部を中心に、該一対のカッター刃８、８で切断できる角度を任意に調整することができるように、円弧状に左右方向へスライド移動する左右のカッター刃取付片２８、２８を用いた点で、このように構成したスチレンボード用カッター１Ｄにしても、前記本発明を実施するための第３の形態と同様な作用効果が得られるとともに、スチレンボードの切断する角度、例えば６０度〜１２０度に設定して使用することができる。
なお、左右のカッター刃取付片２８、２８は外側端部のカッター刃８、８が取付けられた部位を除く部位がスライド移動可能に重なり合い、カッター刃支持片２０のほぼ中央部に固定された先端部にねじ部２９が形成されたピン３０にガイドされる円弧状のガイド溝３１、３１が形成されている。
また、左右のカッター刃取付片２８、２８の外周部のカッター刃支持片２０には、該左右のカッター刃取付片２８、２８、すなわち、一対のカッター刃８、８の開放角度を示す角度目盛３２が記載されている。【００２７】
図２５ないし図２８に示す本発明を実施するための第６の形態において、前記本発明を実施するための最良の第１の形態と主に異なる点は、スチレンボード２の上面と面接触するベース板１９、このベース板１９の一端部にアングル状の凹部３３を介して上方へ突出するように形成された立設板３４とからなる操作片４Ｂと、この操作片４Ｂの前記ベース板１９と前記立設板３４に先端部がほぼ同一部位に位置するように、前記凹部３３へ突出するように取付けられたスチレンボード２の下面のシート２ａと発泡スチロール２ｃの間のカットおよび下面のシート２ａを除く部位をカットする一対のカッター刃８、８とで構成した点で、このように構成したスチレンボード用カッター１Ｅにしても、前記本発明を実施するための最良の第１の形態と同様な作用効果が得られるとともに、スチレンボードの端部の切断に使用することができる。
なお、本発明を実施する形態では立設板３４を垂直方向に突出させたものについて説明したが、本発明はこれに限らず、立設板３４を傾斜状態に形成することにより、下面のシート２ａを除く部位を傾斜面にカットすることができるスチレンボード用カッターにできる。【００２８】
なお、前記本発明を実施するための各形態のスチレンボード用カッターの一対のカッター刃を、保護および安全を図るためにカバーを取付けるようにしてもよい。
【産業上の利用可能性】
【００２９】
本発明はスチレンボード用カッターを製造する産業で利用される。
【図１】
2008044301.tif 000003
【図２】
2008044301.tif 000004
【図３】
2008044301.tif 000005
【図４】
2008044301.tif 000006
【図５】
2008044301.tif 000007
【図６】
2008044301.tif 000008
【図７】
2008044301.tif 000009
【図８】
2008044301.tif 000010
【図９】
2008044301.tif 000011
【図１０】
2008044301.tif 000012
【図１１】
2008044301.tif 000013
【図１２】
2008044301.tif 000014
【図１３】
2008044301.tif 000015
【図１４】
2008044301.tif 000016
【図１５】
2008044301.tif 000017
【図１６】
2008044301.tif 000018
【図１７】
2008044301.tif 000019
【図１８】
2008044301.tif 000020
【図１９】
2008044301.tif 000021
【図２０】
2008044301.tif 000022
【図２１】
2008044301.tif 000023
【図２２】
2008044301.tif 000024
【図２３】
2008044301.tif 000025
【図２４】
2008044301.tif 000026
【図２５】
2008044301.tif 000027
【図２６】
2008044301.tif 000028
【図２７】
2008044301.tif 000029
【図２８】
2008044301.tif 000030
【国際調査報告】
2008044301.tif 000031
2008044301.tif 000032
2008044301.tif 000033
2008044301.tif 000034